【手続補正書】
【提出日】平成29年2月21日(2017.2.21)
【手続補正１】
【補正対象書類名】特許請求の範囲
【補正対象項目名】全文
【補正方法】変更
【補正の内容】
【特許請求の範囲】
【請求項１】
ワイヤレス通信の方法であって、
ノードによって、第２のキャリアで使用するために少なくとも１つの第１のキャリアに割り当てられた前記ノードの１つまたは複数の送信アンテナを指定することと、
前記第２のキャリア上のアンテナポートのセットを用いて、制御チャネル、データチャネル、または基準信号のうちの少なくとも１つを送信することと、
１つまたは複数のモバイルデバイスに１つまたは複数のチャネル状態情報基準信号（ＣＳＩ−ＲＳ）構成を送信することと
を備え、
前記アンテナポートのセットは、前記少なくとも１つの第１のキャリアに割り当てられた前記１つまたは複数の送信アンテナと、前記第２のキャリアで使用するために割り当てられた前記ノードの１つまたは複数の送信アンテナとの組み合わせに少なくとも部分的に基づき、
前記１つまたは複数のＣＳＩ−ＲＳ構成は、前記１つまたは複数の送信アンテナの前記組み合わせを反映し、
前記１つまたは複数のＣＳＩ−ＲＳ構成は、前記第２のキャリア上の前記アンテナポートのセット内のアンテナポートの数を、前記１つまたは複数のモバイルデバイスに、指示する、方法。
【請求項２】
前記少なくとも１つの第１のキャリアと前記第２のキャリアとは、異なるキャリア周波数であり、前記少なくとも１つの第１のキャリアと前記第２のキャリアとは、前記ノードの同じセルに関連付けられる、請求項１に記載の方法。
【請求項３】
前記少なくとも１つの第１のキャリアと前記第２のキャリアとは、同じキャリア周波数であり、前記少なくとも１つの第１のキャリアは、第１のセルに関連付けられ、前記第２のキャリアは、第２のセルに関連付けられ、ここで、前記第１のセルと前記第２のセルとは異なり、かつ前記ノードの同じセルである、請求項１に記載の方法。
【請求項４】
前記少なくとも１つの第１のキャリアに割り当てられた前記１つまたは複数の送信アンテナは、部分的にまたは完全に非作動にされたもののうちの１つである前記少なくとも１つの第１のキャリアに基づいて指定される、請求項１に記載の方法。
【請求項５】
前記非作動は、
１つまたは複数のサブフレーム、または
サブフレームの一部
のうちの１つのためのものである、請求項４に記載の方法。
【請求項６】
前記１つまたは複数のＣＳＩ−ＲＳ構成のうちの第１のものは、
第１のサブフレームと、
第１の継続期間にわたるサブフレームと
のうちの１つに関連付けられ、
前記１つまたは複数のＣＳＩ−ＲＳ構成のうちの第２のものは、
第２のサブフレームと、
前記第１の継続期間の後の後続のサブフレームと
のうちの１つに関連付けられる、請求項１に記載の方法。
【請求項７】
前記１つまたは複数のＣＳＩ−ＲＳ構成のうちの第１のものは、前記１つまたは複数のモバイルデバイスのうちの第１のものに送信され、前記１つまたは複数のＣＳＩ−ＲＳ構成のうちの第２のものは、前記１つまたは複数のモバイルデバイスのうちの第２のものに送信される、請求項１に記載の方法。
【請求項８】
１つまたは複数のモバイルデバイスに制御チャネルまたはデータチャネルのうちの少なくとも１つについての復調基準信号（ＤＭ−ＲＳ）を送信すること
をさらに備え、
前記ＤＭ−ＲＳは、前記１つまたは複数の送信アンテナの前記組み合わせに基づく、請求項１に記載の方法。
【請求項９】
ワイヤレス通信のために構成された装置であって、
ノードによって、第２のキャリアで使用するために少なくとも１つの第１のキャリアに割り当てられた前記ノードの１つまたは複数の送信アンテナを指定するための手段と、
前記第２のキャリア上のアンテナポートのセットを用いて、制御チャネル、データチャネル、または基準信号のうちの少なくとも１つを送信するための手段と、
１つまたは複数のモバイルデバイスに１つまたは複数のチャネル状態情報基準信号（ＣＳＩ−ＲＳ）構成を送信するための手段と
を備え、
前記アンテナポートのセットは、前記少なくとも１つの第１のキャリアに割り当てられた前記１つまたは複数の送信アンテナと、前記第２のキャリアで使用するために割り当てられた前記ノードの１つまたは複数の送信アンテナとの組み合わせに少なくとも部分的に基づき、
前記１つまたは複数のＣＳＩ−ＲＳ構成は、前記１つまたは複数の送信アンテナの前記組み合わせを反映し、
前記１つまたは複数のＣＳＩ−ＲＳ構成は、前記第２のキャリア上の前記アンテナポートのセット内のアンテナポートの数を、前記１つまたは複数のモバイルデバイスに、指示する、装置。
【請求項１０】
前記少なくとも１つの第１のキャリアに割り当てられた前記１つまたは複数の送信アンテナは、部分的にまたは完全に非作動にされたもののうちの１つである前記少なくとも１つの第１のキャリアに基づいて指定され、
ここにおいて、前記非作動は、
１つまたは複数のサブフレーム、または
サブフレームのごく一部
のうちの１つのためのものである、請求項９に記載の装置。
【請求項１１】
前記１つまたは複数のＣＳＩ−ＲＳ構成のうちの第１のものは、
第１のサブフレームと、
第１の継続期間にわたるサブフレームと
のうちの１つに関連付けられ、
前記１つまたは複数のＣＳＩ−ＲＳ構成のうちの第２のものは、
第２のサブフレームと、
前記第１の継続期間の後の後続のサブフレームと
のうちの１つに関連付けられる、請求項９に記載の装置。
【請求項１２】
前記１つまたは複数のＣＳＩ−ＲＳ構成のうちの第１のものは、前記１つまたは複数のモバイルデバイスのうちの第１のものに送信され、前記１つまたは複数のＣＳＩ−ＲＳ構成のうちの第２のものは、前記１つまたは複数のモバイルデバイスのうちの第２のものに送信される、請求項１１に記載の装置。
【請求項１３】
１つまたは複数のモバイルデバイスに制御チャネルまたはデータチャネルのうちの少なくとも１つについての復調基準信号（ＤＭ−ＲＳ）を送信するための手段
をさらに備え、
前記ＤＭ−ＲＳは、前記１つまたは複数の送信アンテナの前記組み合わせに基づく、請求項９に記載の装置。
【請求項１４】
指定するための前記手段、送信するための前記手段、および１つまたは複数のＣＳＩ−ＲＳ構成を送信するための前記手段は、少なくとも１つのプロセッサおよび前記少なくとも１つのプロセッサに結合されたメモリによって提供される、請求項９に記載の装置。
【請求項１５】
請求項１から８のうちの一項の方法の全てのステップを実施するようにコンピュータ実行可能であるプログラム命令を備える、コンピュータプログラム。
【手続補正２】
【補正対象書類名】明細書
【補正対象項目名】００８８
【補正方法】変更
【補正の内容】
【００８８】
[0095]  本開示の上述説明は、いずれの当業者も本開示を実施または使用することを可能にするために提供される。本開示に対する様々な変更は、当業者には容易に明らかであり、本明細書で定義された包括的な原理は、本開示の精神または範囲から逸脱することなく他のバリエーションに適用され得る。従って、本開示は、本明細書で説明される例および設計に限定されることが意図されるものではなく、本明細書に開示される原理および新規の特徴と一致する最も広い範囲が付与されるべきものである。
以下に、本願出願の当初の特許請求の範囲に記載された発明を付記する。
［Ｃ１］
ワイヤレス通信の方法であって、
ノードによって、第２のキャリアで使用するために少なくとも１つの第１のキャリアに割り当てられた前記ノードの１つまたは複数の送信アンテナを指定することと、
前記第２のキャリア上のアンテナポートのセットを用いて、制御チャネル、データチャネル、または基準信号のうちの少なくとも１つを送信することと
を備え、
前記アンテナポートのセットは、前記少なくとも１つの第１のキャリアに割り当てられた前記１つまたは複数の送信アンテナと、前記第２のキャリアで使用するために割り当てられた前記ノードの１つまたは複数の送信アンテナとの組み合わせに少なくとも部分的に基づく、方法。
［Ｃ２］
前記少なくとも１つの第１のキャリアと前記第２のキャリアとは、異なるキャリア周波数であり、前記少なくとも１つの第１のキャリアと前記第２のキャリアとは、前記ノードの同じセルに関連付けられる、Ｃ１に記載の方法。
［Ｃ３］
前記少なくとも１つの第１のキャリアと前記第２のキャリアとは、同じキャリア周波数であり、前記少なくとも１つの第１のキャリアは、第１のセルに関連付けられ、前記第２のキャリアは、第２のセルに関連付けられ、ここで、前記第１のセルと前記第２のセルとは異なり、かつ前記ノードの同じセルである、Ｃ１に記載の方法。
［Ｃ４］
前記少なくとも１つの第１のキャリアに割り当てられた前記１つまたは複数の送信アンテナは、部分的にまたは完全に非作動にされたもののうちの１つである前記少なくとも１つの第１のキャリアに基づいて指定される、Ｃ１に記載の方法。
［Ｃ５］
前記非作動は、
１つまたは複数のサブフレーム、または
サブフレームの一部
のうちの１つのためのものである、Ｃ４に記載の方法。
［Ｃ６］
１つまたは複数のモバイルデバイスに１つまたは複数のチャネル状態情報基準信号（ＣＳＩ−ＲＳ）構成を送信すること
をさらに備え、
前記１つまたは複数のＣＳＩ−ＲＳ構成は、前記１つまたは複数の送信アンテナの前記組み合わせに基づく、Ｃ１に記載の方法。
［Ｃ７］
前記１つまたは複数のＣＳＩ−ＲＳ構成のうちの第１のものは、
第１のサブフレームと、
第１の継続期間にわたるサブフレームと
のうちの１つに関連付けられ、
前記１つまたは複数のＣＳＩ−ＲＳ構成のうちの第２のものは、
第２のサブフレームと、
前記第１の継続期間の後の後続のサブフレームと
のうちの１つに関連付けられる、Ｃ６に記載の方法。
［Ｃ８］
前記１つまたは複数のＣＳＩ−ＲＳ構成のうちの第１のものは、前記１つまたは複数のモバイルデバイスのうちの第１のものに送信され、前記１つまたは複数のＣＳＩ−ＲＳ構成のうちの第２のものは、前記１つまたは複数のモバイルデバイスのうちの第２のものに送信される、Ｃ６に記載の方法。
［Ｃ９］
１つまたは複数のモバイルデバイスに制御チャネルまたはデータチャネルのうちの少なくとも１つについての復調基準信号（ＤＭ−ＲＳ）を送信すること
をさらに備え、
前記ＤＭ−ＲＳは、前記１つまたは複数の送信アンテナの前記組み合わせに基づく、Ｃ１に記載の方法。
［Ｃ１０］
ワイヤレス通信のために構成された装置であって、
ノードによって、第２のキャリアで使用するために少なくとも１つの第１のキャリアに割り当てられた前記ノードの１つまたは複数の送信アンテナを指定するための手段と、
前記第２のキャリア上のアンテナポートのセットを用いて、制御チャネル、データチャネル、または基準信号のうちの少なくとも１つを送信するための手段と
を備え、
前記アンテナポートのセットは、前記少なくとも１つの第１のキャリアに割り当てられた前記１つまたは複数の送信アンテナと、前記第２のキャリアで使用するために割り当てられた前記ノードの１つまたは複数の送信アンテナとの組み合わせに少なくとも部分的に基づく、装置。
［Ｃ１１］
前記少なくとも１つの第１のキャリアと前記第２のキャリアとは、異なるキャリア周波数であり、前記少なくとも１つの第１のキャリアと前記第２のキャリアとは、前記ノードの同じセルに関連付けられる、Ｃ１０に記載の装置。
［Ｃ１２］
前記少なくとも１つの第１のキャリアと前記第２のキャリアとは、同じキャリア周波数であり、前記少なくとも１つの第１のキャリアは、第１のセルに関連付けられ、前記第２のキャリアは、第２のセルに関連付けられ、ここで、前記第１のセルと前記第２のセルとは異なり、かつ前記ノードの同じセルである、Ｃ１０に記載の装置。
［Ｃ１３］
前記少なくとも１つの第１のキャリアに割り当てられた前記１つまたは複数の送信アンテナは、部分的にまたは完全に非作動にされたもののうちの１つである前記少なくとも１つの第１のキャリアに基づいて指定される、Ｃ１０に記載の装置。
［Ｃ１４］
前記非作動は、
１つまたは複数のサブフレーム、または
サブフレームのごく一部
のうちの１つのためのものである、Ｃ１３に記載の装置。
［Ｃ１５］
１つまたは複数のモバイルデバイスに１つまたは複数のチャネル状態情報基準信号（ＣＳＩ−ＲＳ）構成を送信するための手段
をさらに備え、
前記１つまたは複数のＣＳＩ−ＲＳ構成は、前記１つまたは複数の送信アンテナの前記組み合わせに基づく、Ｃ１０に記載の装置。
［Ｃ１６］
前記１つまたは複数のＣＳＩ−ＲＳ構成のうちの第１のものは、
第１のサブフレームと、
第１の継続期間にわたるサブフレームと
のうちの１つに関連付けられ、
前記１つまたは複数のＣＳＩ−ＲＳ構成のうちの第２のものは、
第２のサブフレームと、
前記第１の継続期間の後の後続のサブフレームと
のうちの１つに関連付けられる、Ｃ１５に記載の装置。
［Ｃ１７］
前記１つまたは複数のＣＳＩ−ＲＳ構成のうちの第１のものは、前記１つまたは複数のモバイルデバイスのうちの第１のものに送信され、前記１つまたは複数のＣＳＩ−ＲＳ構成のうちの第２のものは、前記１つまたは複数のモバイルデバイスのうちの第２のものに送信される、Ｃ１６に記載の装置。
［Ｃ１８］
１つまたは複数のモバイルデバイスに制御チャネルまたはデータチャネルのうちの少なくとも１つについての復調基準信号（ＤＭ−ＲＳ）を送信するための手段
をさらに備え、
前記ＤＭ−ＲＳは、前記１つまたは複数の送信アンテナの前記組み合わせに基づく、Ｃ１０に記載の装置。
［Ｃ１９］
ワイヤレスネットワークにおけるワイヤレス通信のためのコンピュータプログラム製品あって、
記録されたプログラムコードを有する非一時的なコンピュータ読取可能媒体
を含み、
前記プログラムコードは、
コンピュータに、ノードによって、第２のキャリアで使用するために少なくとも１つの第１のキャリアに割り当てられた前記ノードの１つまたは複数の送信アンテナを指定させるためのプログラムコードと、
前記コンピュータに、前記第２のキャリア上のアンテナポートのセットを用いて、制御チャネル、データチャネル、または基準信号のうちの少なくとも１つを送信させるためのプログラムコードと
を備え、
前記アンテナポートのセットは、前記少なくとも１つの第１のキャリアに割り当てられた前記１つまたは複数の送信アンテナと、前記第２のキャリアで使用するために割り当てられた前記ノードの１つまたは複数の送信アンテナとの組み合わせに少なくとも部分的に基づく、コンピュータプログラム製品。
［Ｃ２０］
前記少なくとも１つの第１のキャリアと前記第２のキャリアとは、異なるキャリア周波数であり、前記少なくとも１つの第１のキャリアと前記第２のキャリアとは、前記ノードの同じセルに関連付けられる、Ｃ１９に記載のコンピュータプログラム製品。
［Ｃ２１］
前記少なくとも１つの第１のキャリアと前記第２のキャリアとは、同じキャリア周波数であり、前記少なくとも１つの第１のキャリアは、第１のセルに関連付けられ、前記第２のキャリアは、第２のセルに関連付けられ、ここで、前記第１のセルと前記第２のセルとは異なり、かつ前記ノードの同じセルである、Ｃ１９に記載のコンピュータプログラム製品。
［Ｃ２２］
前記少なくとも１つの第１のキャリアに割り当てられた前記１つまたは複数の送信アンテナは、部分的にまたは完全に非作動にされたもののうちの１つである前記少なくとも１つの第１のキャリアに基づいて指定される、Ｃ１９に記載のコンピュータプログラム製品。
［Ｃ２３］
前記コンピュータに、１つまたは複数のモバイルデバイスに１つまたは複数のチャネル状態情報基準信号（ＣＳＩ−ＲＳ）構成を送信させるためのプログラムコード
をさらに備え、
前記１つまたは複数のＣＳＩ−ＲＳ構成は、前記１つまたは複数の送信アンテナの前記組み合わせに基づく、Ｃ１９に記載のコンピュータプログラム製品。
［Ｃ２４］
前記コンピュータに、１つまたは複数のモバイルデバイスに制御チャネルまたはデータチャネルのうちの少なくとも１つについての復調基準信号（ＤＭ−ＲＳ）を送信させるためのプログラムコード
をさらに備え、
前記ＤＭ−ＲＳは、前記１つまたは複数の送信アンテナの前記組み合わせに基づく、Ｃ１９に記載のコンピュータプログラム製品。
［Ｃ２５］
ワイヤレス通信のために構成された装置であって、前記装置は、
少なくとも１つのプロセッサと、
前記少なくとも１つのプロセッサに結合されたメモリと
を備え、
前記少なくとも１つのプロセッサは、
ノードによって、第２のキャリアで使用するために少なくとも１つの第１のキャリアに割り当てられた前記ノードの１つまたは複数の送信アンテナを指定することと、
前記第２のキャリア上のアンテナポートのセットを用いて、制御チャネル、データチャネル、または基準信号のうちの少なくとも１つを送信することと
を行うように構成され、
前記アンテナポートのセットは、前記少なくとも１つの第１のキャリアに割り当てられた前記１つまたは複数の送信アンテナと、前記第２のキャリアで使用するために割り当てられた前記ノードの１つまたは複数の送信アンテナとの組み合わせに少なくとも部分的に基づく、装置。
［Ｃ２６］
前記少なくとも１つの第１のキャリアと前記第２のキャリアとは、異なるキャリア周波数であり、前記少なくとも１つの第１のキャリアと前記第２のキャリアとは、前記ノードの同じセルに関連付けられる、Ｃ２５に記載の装置。
［Ｃ２７］
前記少なくとも１つの第１のキャリアと前記第２のキャリアとは、同じキャリア周波数であり、前記少なくとも１つの第１のキャリアは、第１のセルに関連付けられ、前記第２のキャリアは、第２のセルに関連付けられ、ここで、前記第１のセルと前記第２のセルとは異なり、かつ前記ノードの同じセルである、Ｃ２５に記載の装置。
［Ｃ２８］
前記少なくとも１つの第１のキャリアに割り当てられた前記１つまたは複数の送信アンテナは、部分的にまたは完全に非作動にされたもののうちの１つである前記少なくとも１つの第１のキャリアに基づいて指定される、Ｃ２５に記載の装置。
［Ｃ２９］
１つまたは複数のモバイルデバイスに１つまたは複数のチャネル状態情報基準信号（ＣＳＩ−ＲＳ）構成を送信するための前記少なくとも１つのプロセッサの構成
をさらに備え、
前記１つまたは複数のＣＳＩ−ＲＳ構成は、前記１つまたは複数の送信アンテナの前記組み合わせに基づく、Ｃ２５に記載の装置。
［Ｃ３０］
１つまたは複数のモバイルデバイスに制御チャネルまたはデータチャネルのうちの少なくとも１つについての復調基準信号（ＤＭ−ＲＳ）を送信するための前記少なくとも１つのプロセッサの構成
をさらに備え、
前記ＤＭ−ＲＳは、前記１つまたは複数の送信アンテナの前記組み合わせに基づく、Ｃ２５に記載の装置。